(57)【要約】【課題】フレームメモリ内部の複数の撮影対象を簡単に選択して拡大記録できるようにする。【解決手段】指定範囲撮影モードが選択された場合においては、領域指定手段により指定された複数個の領域が電子ズーム処理手段により電子ズーム処理されるとともに、これらの電子ズーム処理された複数個の領域の画像と、撮影画像とを映像ストリーム生成手段により組み合わせて映像ストリームを生成するようにすることにより、複数の目的被写体を同時に拡大すること、及び撮影したい対象をすべて撮影できるようにすることの両方を可能にする。【選択図】図２
2009033254.tif 000002
【特許請求の範囲】
【請求項１】
動画像データを入力する入力手段と、
前記入力された動画像データの１画面のうち、複数の領域を指定する指定手段と、
前記入力された動画像データの各画面から、前記指定手段により指定された複数の領域の動画像データを選択すると共に、前記選択した複数の領域の動画像データを合成し、前記合成した動画像データのサイズを所定のサイズに拡大する処理手段とを備えることを特徴とする画像処理装置。
【請求項２】
前記指定手段は、前記複数の領域のうちの少なくとも一つの領域の位置と大きさを任意に指定可能であることを特徴とする請求項１記載の画像処理装置。
【請求項３】
前記指定手段は前記１画面のうちで二つの前記領域を指定可能であり、前記二つの領域のうちの一方の領域に従い、他方の領域の縦横比が決定されることを特徴とする請求項１記載の画像処理装置。
【請求項４】
前記他方の領域の縦横比は更に、前記所定のサイズの縦横比に従って決定されることを特徴とする請求項３記載の画像処理装置。
【請求項５】
前記指定手段は、複数の所定の形状の中から前記領域の形状を選択することを特徴とする請求項１記載の画像処理装置。
【請求項６】
前記入力された動画像データに係る動画像と前記指定手段により指定可能な領域を示す情報とを多重して表示する表示手段を備え、
前記指定手段は、前記表示手段により表示された前記領域を示す情報を用いて前記領域を指定することを特徴とする請求項１記載の画像処理装置。
【請求項７】
前記処理手段から出力された動画像データを記録する記録手段を備え、前記所定のサイズは前記記録手段により前記動画像データの記録フォーマットに従うサイズであることを特徴とする請求項１記載の画像処理装置。
【請求項８】
前記処理手段は、前記指定手段により指定された複数の領域に対し、独立して映像効果処理を適用することを特徴とする請求項１記載の画像処理装置。
【請求項９】
動画像データを入力する入力工程と、
前記入力された動画像データの１画面のうち、複数の領域を指定する指定工程と、
前記入力された動画像データの各画面から、前記指定工程により指定された複数の領域の動画像データを選択すると共に、前記選択した複数の領域の動画像データを合成し、前記合成した動画像データのサイズを所定のサイズに拡大する処理工程とを備えることを特徴とする画像処理方法。
【請求項１０】
前記指定工程は、前記複数の領域のうちの少なくとも一つの領域の位置と大きさを任意に指定可能であることを特徴とする請求項９記載の画像処理方法。
【請求項１１】
前記指定工程は前記１画面のうちで二つの前記領域を指定可能であり、前記二つの領域のうちの一方の領域に従い、他方の領域の縦横比が決定されることを特徴とする請求項９記載の画像処理方法。
【請求項１２】
前記他方の領域の縦横比は更に、前記所定のサイズの縦横比に従って決定されることを特徴とする請求項１１記載の画像処理方法。
【請求項１３】
前記指定工程は、複数の所定の形状の中から前記領域の形状を選択することを特徴とする請求項９記載の画像処理方法。
【請求項１４】
前記入力された動画像データに係る動画像と前記指定工程により指定可能な領域を示す情報とを多重して表示する表示工程を備え、
前記指定工程は、前記表示工程により表示された前記領域を示す情報を用いて前記領域を指定することを特徴とする請求項９記載の画像処理方法。
【請求項１５】
前記処理工程から出力された動画像データを記録する記録工程を備え、前記所定のサイズは前記記録工程により前記動画像データの記録フォーマットに従うサイズであることを特徴とする請求項９記載の画像処理方法。
【請求項１６】
前記処理工程は、前記指定工程により指定された複数の領域に対し、独立して映像効果処理を適用することを特徴とする請求項９記載の画像処理方法。
【請求項１７】
動画像データを入力する入力工程と、
前記入力された動画像データの１画面のうち、複数の領域を指定する指定工程と、
前記入力された動画像データの各画面から、前記指定工程により指定された複数の領域の動画像データを選択すると共に、前記選択した複数の領域の動画像データを合成し、前記合成した動画像データのサイズを所定のサイズに拡大する処理工程とをコンピュータに実行させることを特徴とするプログラム。
【請求項１８】
請求項１７に記載のプログラムを記録したことを特徴とするコンピュータ読み取り可能な記憶媒体。
【発明の詳細な説明】
【技術分野】
【０００１】
本発明は画像処理装置及び画像処理方法に関し、特に、ユーザーが指定する任意の領域を、記録中に組み合わせてリアルタイムに映像ストリームを生成するために用いて好適な技術に関する。
【背景技術】
【０００２】
従来、画像データをメモリに記憶しておき、メモリに記憶された画像データの一部を読み出し、拡大して表示する電子ズーム機能を持つビデオカメラが知られている。また、再生時における電子ズーム処理機能を有し、拡大したい部分をユーザー操作によって選択することができる構成も一般的である。
【０００３】
例えば、図１（Ａ）に示すような映像の一部を拡大し、図１（Ｂ）に示すような大きな映像に変換することができる。この様な機能を備えたビデオカメラでは、光学系を用いたズームで達成できない倍率を電子ズーム機能によって補うことができる。
【０００４】
ところで、ビデオカメラにおいて、撮影時に電子ズーム機能を使う場合、一般に、メモリに記憶された画面の中心部分が拡大される。そのため、画面の中心から外れた被写体を追って撮影するためにはズーム可能な範囲を中心以外に設定できるようにしなければならない。
【０００５】
これを解決するために、特許文献１では、ユーザーが任意のズーム領域を選択して拡大することができるようにしている。このように構成することにより、フレームメモリの範囲内ならば記録装置を移動させなくてもズーム枠を移動するだけで撮影することができ、撮影装置を移動させる必要がなく手ぶれを防ぐことができる。
【０００６】
【特許文献１】特開平６−７８１９８公報
【発明の開示】
【発明が解決しようとする課題】
【０００７】
しかしながら、特許文献１に記載の方法では、メモリに記憶された画面内に複数の目的被写体があった場合、これら複数の目的被写体を同時に拡大することができなかった。このような不都合を解決するために、既存の記述では、フレームメモリ内の複数の撮影対象を撮影する場合では以下の２つの方法が考えられる。
【０００８】
第１の方法は、複数の撮影対象の撮影を諦め、１つの撮影対象に絞って電子ズームを行い撮影する方法である。また、第２の方法は、複数の撮影したい対象がすべて映像に入りきるサイズでの低倍率な電子ズームで撮影する方法である。
【０００９】
しかしながら、第１の方法の場合には、撮影したい対象をすべて撮影することができないという問題があった。それに対して、第２の方法の場合には、撮影したい複数の対象を映像ストリームにできるものの、電子ズームの倍率を大きくすることができないため、撮影したい対象のディテールまで記録することができない問題があった。
【００１０】
本発明は前述の問題点に鑑み、フレームメモリ内部の複数の撮影対象を簡単に選択して拡大記録できるようにすることを目的としている。
【課題を解決するための手段】
【００１１】
本発明の画像処理装置は、動画像データを入力する入力手段と、前記入力された動画像データの１画面のうち、複数の領域を指定する指定手段と、前記入力された動画像データの各画面から、前記指定手段により指定された複数の領域の動画像データを選択すると共に、前記選択した複数の領域の動画像データを合成し、前記合成した動画像データのサイズを所定のサイズに拡大する処理手段とを備えることを特徴とする。
【００１２】
本発明の画像処理方法は、動画像データを入力する入力工程と、前記入力された動画像データの１画面のうち、複数の領域を指定する指定工程と、前記入力された動画像データの各画面から、前記指定工程により指定された複数の領域の動画像データを選択すると共に、前記選択した複数の領域の動画像データを合成し、前記合成した動画像データのサイズを所定のサイズに拡大する処理工程とを備えることを特徴とする。
【００１３】
本発明のプログラムは、動画像データを入力する入力工程と、前記入力された動画像データの１画面のうち、複数の領域を指定する指定工程と、前記入力された動画像データの各画面から、前記指定工程により指定された複数の領域の動画像データを選択すると共に、前記選択した複数の領域の動画像データを合成し、前記合成した動画像データのサイズを所定のサイズに拡大する処理工程とをコンピュータに実行させることを特徴とする。
【発明の効果】
【００１４】
本発明によれば、複数の目的被写体を同時に拡大することが可能となり、撮影したい対象のすべてを撮影できるようにするとともに、電子ズームの倍率を大きくすることができ、撮影したい対象のディテールまで記録することができる。
また、領域の組み合わせ結果は予め設定された画角となり、使用者が期待する映像ストリームの撮影操作を容易に行なうことができる。
【発明を実施するための最良の形態】
【００１５】
（第１の実施形態）
以下、図面を参照しながら本発明の好適な実施の形態を説明する。
図２は、本発明の１つの形態である映像ストリーム記録装置の概略構成を示すブロック図である。図２において、９は撮影レンズ、１はＡＦＥ（Analog Front End）、２は第１のフレームメモリでありＡＦＥを通ってＡ／Ｄ変換された映像データが一時的に保存される。３は電子ズーム処理部であり、ユーザーが電子ズームを使用する際に、最適な大きさにズーム処理された映像が第１のフレームメモリ２から第２のフレームメモリ４へ転送される。
【００１６】
本実施形態の映像ストリーム記録装置においては、電子ズーム処理するブロックを２つ備えている。これにより、ユーザーは、１画面のうちで二つの前記領域を指定可能である。そして、ユーザーが指定した第１の領域と第２の領域とで別々に処理する構成とすることも可能である。前述したように、第２のフレームメモリ４は、電子ズーム後のフレームを格納するフレームメモリであり、ユーザーが指定した２つの領域を組み合わせた結果の映像が格納される。
【００１７】
５はエンコーダ（ＥＮＣ）であり、第１のフレームメモリ２及び第２のフレームメモリ４の映像をシステムが定めるエンコード方式に基づいてエンコード処理して映像ストリーム生成手段として機能して映像ストリームを生成する。６は記録装置であり、エンコーダ５においてエンコード処理した映像ストリームをＤＶＤ-Ｒやテープ等の媒体に記録する装置である。
【００１８】
７はＯＳＤ（オンスクリーンディスプレイ）制御部であり、ユーザーへの情報表示のためのアイコンなどを入力映像とともに表示装置上に重畳（多重）させる制御を行なう。１０はＯＳＤ画像生成処理部であり、アイコンや表示枠などの位置や色、サイズ等を生成する。８は表示装置であり、本実施形態においてはタッチセンサー付ＬＣＤ（Liquid Crystal Display）を配設している。ユーザーは、この表示装置８上でスタイラスペンを操作することにより、ユーザーが決定する第１の領域及び第２の領域の２つを指定することができる。表示装置８上で行われたスタイラスペンの操作情報は制御部１１に入力される。
【００１９】
１２は操作部であり、この操作部１２と制御部１１とにより撮影画像画角指定手段や、ズーム処理手段や、映像ストリーム画角指定手段等が構成される。また、電子ズーム処理部３において電子ズーム処理する領域を、前記撮影画像の中で複数個指定する領域指定手段が制御部１１及び操作部１２によって構成されている。
【００２０】
本実施形態では、撮影されて入力された動画像データの１画面のうち、ユーザーが選択した２つの領域の動画像データを合成して一つの動画像データを生成して記録する画像処理について説明する。
【００２１】
本実施形態の映像ストリーム記録装置には、通常撮影するモードに加えて、撮影画像を生成する範囲を指定して記録可能な指定範囲撮影モードを備えている。
以下、図１０のフローチャートを参照しながら領域決定手順の一例を説明する。
ステップＳ１において、記録モードが選択されるとステップＳ２に進み、予め決定されている映像ストリームの画角をシステムが読み込む。
【００２２】
次に、ステップＳ３において、指定範囲撮影モードであるか否かの判断が行われる。この判断の結果、指定範囲撮影モードである場合にはステップＳ４に進み、図３に示すように、レンズから入ってくる撮影対象画像が第１の領域を示す表示枠と共に重畳されて表示装置８の画面上に表示される。ユーザーは、第１の領域を表示画面上でスタイラスペンを用いて移動させて任意の位置、任意のサイズを選択することができる。
【００２３】
第１の領域を指定する際に、領域の中央に対してスタイラスペンでのドラッグ動作を行なうと第１の領域の移動を行なうことができ、表示枠に対してスタイラスペンでのドラッグ操作を行なうと表示枠の形状を変更することができる。このとき、表示枠が極端に細長くなる、極端に小さくなるといったことにならないようにする制限手段を設けている。
【００２４】
このような操作を繰り返し行なうことにより第１の領域が決まると、図４に示すように、ユーザーは表示装置８上に表示された「決定」ボタンをスタイラスペンで入力する。この「決定」操作が行なわれるとステップＳ５において、第１の領域が決定したと判断されてステップＳ６に進む。ステップＳ６においては、図５に示したように、表示装置８の画面上に第２の領域が表示される。
【００２５】
このとき、第２の領域の縦横比は、第１の領域の縦横比と、記録装置６により記録される動画像データの記録フォーマットとに従って決定される。即ち、後述の様に、第１の領域と第２の領域とを組み合わせた際に、記録フォーマットに対応した所定の縦横比となるよう、第２の領域の縦横比（アスペクト）が決定される。即ち、二つの領域のうちの一方の領域に従い、他方の領域の縦横比が決定される。なお、記録フォーマットに対応した縦横比とは、例えば、１６：９や４：３などが挙げられる。
【００２６】
第２の領域を指定する際にも、第１の領域と同様に、領域の移動とサイズ変更は可能である。図６に示したように、ユーザーが第２の領域を適切に設定した後、ユーザーは第２の領域が決定したことを通知する「決定」ボタンをスタイラスペンで入力する。すると、ステップＳ７においてこれが検出され、ステップＳ８において指定範囲が決定される。このようにして第１の領域、及び第２の領域の両方を容易に指定することができる。
【００２７】
次に、ステップＳ９において操作部１２に配設されている記録開始ボタンが押されるのを待機する。そして、記録開始ボタンが押されると、ステップＳ１０に進み、第１及び第２の領域によって組み合わされる第２のフレームメモリ４の映像が、ユーザーが記録開始ボタンを押したタイミングからエンコーダ５によってエンコードされる。
【００２８】
即ち、電子ズーム処理部３は、第１のフレームメモリ２に記憶された各フレームの画像データのうち、前述の様に指定された第１の領域と第２の領域の画像データを選択して読み出す。そして、これら第１、第２の領域の画像データを合成した後、記録フォーマットに従う所定の画素数になるよう、その画素数を変換してエンコーダ５に送る。通常、第１、第２の領域を合成した画像の画素数（サイズ）は、フレームメモリ２に記憶された画像データの画素数よりも小さいので、電子ズーム処理部３は画素数を増加させる処理を実行する。
例えば、図６の如く第１、第２の領域が選択された場合、図１１の如く第１、第２の領域を合成した動画像データが生成されて出力され、符号化されて記録される。これにより、映像ストリームが表示装置８の記録媒体に記録することができる。
【００２９】
映像ストリームは、第１のフレームメモリ２上で離れた領域撮影対象であっても第２のフレームメモリ４上には第１の領域と第２の領域の映像が最適なサイズで電子ズームされて配置される。このため、２つの領域を組み合わせて１つの映像ストリームに記録することができる。
【００３０】
なお、ユーザーは、前述の様に、指定範囲撮影モードにおいて第１、第２の領域を選択後、撮影を開始した後の表示装置８の表示画面を設定することが可能である。
一例として以下の４つを挙げるが、以下の４つ以外にも表示方法がある。
【００３１】
（イ）第１の表示例は、図７（Ｂ）に示したように、撮影画像そのままを表示する例である。
（ロ）第２の表示例は、図７（Ｃ）に示したように、第１の領域と第２の領域を表示する表示枠とともに撮影画像全体を表示する例である。
（ハ）第３の表示例は、図７（Ｄ）に示したように、第１の領域と第２の領域から組み合わされる組み合わせ後の結果を表示する例である。
（ニ）第４の表示例は、図７（Ｅ）に示したように、第１の領域と第２の領域から組み合わされる組み合わせ後の結果に加え第１の領域と第２の領域を表示する例である。
【００３２】
第１の表示例〜第４の表示例は、「表示方法変更ボタン」をＬＣＤ上に表示し、スタイラスペンで選択することで選択できる。ユーザーに複数の表示方法を提供することで、ユーザーの好みに合った表示方法を提供することができる。
【００３３】
また、前述の実施形態では、第１、第２の領域をユーザが任意に設定していた。
【００３４】
しかしながら、領域の個数から左右分割か上下分割かなどの分割方法を含めて全てをユーザーに決定させるようにすると操作が複雑になることが考えられる。
そこで、範囲を指定する際、画面の区切り方のイメージをテンプレートとしてユーザーに提示する。そして、指定されたテンプレートに従ってユーザーが第１及び第２の領域を決定する。
【００３５】
図８に示したように、ユーザーが指定範囲撮影モードを選択すると、テンプレート選択画面に移行する。ユーザーは、所望するテンプレートを選択可能な選択手段（図示せず）により選択すると、表示装置８の表示画面上に第１の領域が現れる。領域の指定方法は先に述べたとおりである。テンプレートが決定するのは基本形状であり、ユーザーが表示枠をスタイラスペンでドラッグ操作して若干の形状変更は可能である。
【００３６】
また、このテンプレートを用いて操作する場合、テンプレート上で区切られた領域と、ユーザーが現時点で決定しようとする領域がどこであるか判断がつかなくなる場合がある。このため、図９に示したように、テンプレート画面を縮小かつ半透明にして表示画面上に表示させ、ユーザーが領域決定中はテンプレート上の該当する領域を異なる色で表示することができる。このように表示することにより、領域を選択した時にテンプレートを表示画面上に縮小して表示し、領域の指定者に現在指定中の領域が、第１の領域であるか、第２の領域であるかを認識させることができる。
【００３７】
また、第１の領域、第２の領域を電子ズームで拡大ないしは縮小する際に、電子ズームと共に映像の効果を加えることができる。図２の電子ズーム処理部３が電子ズームを行なう際に、映像にセピアやモノクロ等の効果を行なえる機能を有していれば、ユーザーが選択した第１の領域と第２の領域の映像は、独立して映像の効果を適用可能である。すなわち、指定された複数の領域に対し、独立して映像効果処理を適用することが可能である。このように、別々に映像の効果を加えることにより、ユーザーは重畳された映像をより楽しむことができる。
【００３８】
前述した各実施形態では、ユーザーが第１の領域と第２の領域を選択して２つの領域を重畳させるものであったが、領域は２個以上の複数個の領域であってもよい。図２の電子ズーム処理部３が高い処理能力を持っていれば電子ズームブロックは１つでもよいが、複数の領域を電子ズームする必要があれば図２において電子ズームブロックを並列に並べて処理することもできる。
【００３９】
ユーザーの操作としては、前述のテンプレートを用いることで、３領域を指定して重畳したり、４領域を指定して重畳したりということも容易にできる。前記各実施形態で述べた構成ブロックは一例であり、本実施形態以外の構成であってもよい。またタッチセンサー付ＬＣＤとスタイラスペンでの入力について述べているが、十字キーと決定ボタンを別途備え、ボタン操作によって領域を決定してもよい。
【００４０】
（本発明に係る他の実施の形態）
前述した本発明の実施の形態における映像ストリーム記録装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４１】
また、本発明は、例えば、システム、装置、方法、プログラムもしくは記憶媒体等としての実施の形態も可能であり、具体的には、複数の機器から構成されるシステムに適用してもよいし、また、１つの機器からなる装置に適用してもよい。
【００４２】
なお、本発明は、前述した映像ストリーム記録方法における各工程を実行するソフトウェアのプログラム（実施の形態では図１０に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４４】
その場合、プログラムの機能を有していれば、オブジェクトコード、インタプリタにより実行されるプログラム、ＯＳに供給するスクリプトデータ等の形態であってもよい。
【００４５】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４６】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４９】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００５０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５１】
【図１】映像の一部を拡大して大きな映像に変換する電子ズーム処理を説明する図である。
【図２】本発明の実施形態を示し、映像ストリーム記録装置の構成例を説明するブロック図である。
【図３】レンズから入ってくる撮影対象画像が第１の領域を示す表示枠と共に重畳されて表示装置の画面上に表示される例を示す図である。
【図４】表示装置の画面上に表示される第１の領域の決定待ち状態を示す図である。
【図５】表示装置の画面上に表示される第１の領域の決定後に表示される、第２の領域選択初期画面の一例を示す図である。
【図６】表示装置の画面上に表示される第１の領域決定後、第２の領域決定待ち状態を示す図である。
【図７】動画撮影時に表示装置へ表示する方法を説明する図である。
【図８】テンプレートを用いた表示領域の指定方法について説明する図である。
【図９】テンプレート画面を縮小し、かつ半透明にして表示画面上に表示させた状態を示す図である。
【図１０】領域決定手順の一例を説明するフローチャートである。
【図１１】第１の領域及び第２の領域が選択された場合に生成される動画像データの一例を示す図である。
【符号の説明】
【００５２】
１  ＡＦＥ（Analog Front End）
２  第１のフレームメモリ
３  電子ズーム処理部
４  第２のフレームメモリ
５  エンコーダ
６  記録装置
７  ＯＳＤ（On Screen Display）制御部
８  表示装置
９  撮影レンズ
１０  ＯＳＤ画像生成処理部
１１  制御部
１２  操作部
【図１】
2009033254.tif 000003
【図２】
2009033254.tif 000004
【図３】
2009033254.tif 000005
【図４】
2009033254.tif 000006
【図５】
2009033254.tif 000007
【図６】
2009033254.tif 000008
【図７】
2009033254.tif 000009
【図８】
2009033254.tif 000010
【図９】
2009033254.tif 000011
【図１０】
2009033254.tif 000012
【図１１】
2009033254.tif 000013